(57)【特許請求の範囲】
【請求項１】
少なくともＵＳＢプレーヤからのＵＳＢファンクションと、他の複数のファンクションとを動作させる再生装置において、
前記ＵＳＢファンクションと前記他の複数のファンクションの動作を制御する制御手段と、
前記制御手段により制御されるファンクションが変更されると、ミューティングを一定期間行うミューティング手段と、
前記制御手段により制御されるファンクションが、前記他の複数のファンクションの内の１つのファンクションから前記ＵＳＢファンクションに切換変更されたときに、前記切換変更がチューナファンクションからの切換変更かを判定する判定手段と、
前記判定手段による判定結果が、前記チューナファンクションを除く直に再生可能なファンクションからの切換変更を示す場合に、前記切換変更から少なくとも前記一定期間以上待機して前記ミューティング手段によるミューティング中に前記ＵＳＢファンクションの動作が開始されないようにする待機手段と、を備える
再生装置。
【請求項２】
少なくともＵＳＢプレーヤからのＵＳＢファンクションと、他の複数のファンクションとを動作させる再生方法において、
前記ＵＳＢファンクションと前記他の複数のファンクションの動作を制御する制御ステップと、
前記制御ステップで制御されているファンクションが変更されると、ミューティングを一定期間行うミューティングステップと、
前記制御ステップで制御されているファンクションが、前記他の複数のファンクションの内の１つのファンクションから前記ＵＳＢファンクションに切換変更されたときに、前記切換変更がチューナファンクションからの切換変更かを判定する判定ステップと、
前記判定ステップでの判定結果が、前記チューナファンクションを除く直に再生可能なファンクションからの切換変更を示す場合に、前記切換変更から少なくとも前記一定期間以上待機して前記ミューティングステップでのミューティング中に前記ＵＳＢファンクションの動作が開始されないようにする待機ステップと、を備える
再生方法。
【請求項３】
少なくともＵＳＢプレーヤからのＵＳＢファンクションと、他の複数のファンクションとを動作させるリムーバブルメモリ用電子機器において、
前記ＵＳＢファンクションと前記他の複数のファンクションの動作を制御する制御手段と、
前記制御手段により制御されるファンクションが変更されると、ミューティングを一定期間行うミューティング手段と、
前記制御手段により制御されるファンクションが、前記他の複数のファンクションの内の１つのファンクションから前記ＵＳＢファンクションに切換変更されたときに、前記切換変更がチューナファンクションからの切換変更かを判定する判定手段と、
前記判定手段による判定結果が、前記チューナファンクションを除く直に再生可能なファンクションからの切換変更を示す場合に、前記切換変更から少なくとも前記一定期間以上待機して前記ミューティング手段によるミューティング中に前記ＵＳＢファンクションの動作が開始されないようにする待機手段と、を備える
リムーバブルメモリ用電子機器。
【請求項４】
前記待機手段は前記切換変更を機にカウントが開始されるカウンタであり、該カウンタにおけるカウント数がセット値に達したか否かを定期的に確認し、前記カウント数が前記セット値に達したことを確認することにより、前記切換変更から前記一定期間が経過していることを認識するチェック手段を含む
請求項１記載の再生装置。
【請求項５】
前記待機ステップでは、前記切換変更を機にカウントが開始されるカウンタにおけるカウント数がセット値に達したか否かを定期的に確認し、前記カウント数が前記セット値に達したことを確認することにより、前記切換変更から前記一定期間が経過していることを認識する
請求項２記載の再生方法。
【発明の詳細な説明】
【技術分野】
【０００１】
本発明は、ＵＳＢ（Universal Serial Bus）再生機能を有する再生装置及び再生方法並びにリムーバブルメモリ用電子機器に係わり、特に、ＵＳＢメモリに記録されたＭＰ３（エムペグ「ＭＰＥＧ−１」のAudio Layer-3）プレーヤをステレオシステム再生装置やディジタルオーディオ電子機器に装着することで他のファンクションからＵＳＢファンクションに切換え、そのまま直に再生させた場合に、再生トラックの先頭がファンクション変更時のミューティングに掛かることを防止可能な再生装置及び再生方法並びリムーバブルメモリ用電子機器に関する。
【背景技術】
【０００２】
従来から、ＣＤ（Compact Disc）、ＤＶＤ（Digital Versatile Disc）、ＣＤ−Ｒ（-Recordable）、ＣＤ−ＲＷ（-Reritable）等のディスクに記録された音楽や映像データを再生するステレオシステム再生装置やディジタルオーディオ電子機器はよく知られている。最近はフラッシュメモリやＨＤＤ（Hard Disc Drive）に書き込まれたデータを再生する電子機器も多用されている。この電子機器ではフラッシュメモリやＨＤＤといった記憶メディアを電子機器に内蔵させると、データの入れ替え時の簡便性や音楽再生時の携帯性が問題となるため、これら記憶メディアを取り外し自在としているが、この様な記録メディアはメモリスティック、スマートメディア等の複数の規格が存在し汎用性に問題が発生するために汎用性に富むＵＳＢ端子を有するメディアであるＵＳＢメモリを対象とする電子機器が多くなってきている。
【０００３】
上述のＵＳＢメモリ等のリムーバブルメモリからユーザーコードがインタフェースを経由してコンピュータ等の本体に送信されると、ユーザーコードの内容とユニットコードの内容とを比較し、これらが一致していればシステムの起動を許可し、一致していなければシステムの起動を不許可する機能を有するようにしたコンピュータが特許文献１に開示されている。
【０００４】
又、特許文献１にはリムーバブルメモリに音声圧縮フォーマットの再生部をさらに加えることで，コンピュータの起動時以外は一般データ記録部に記録した音声情報を再生するプレーヤとして使用することができる様にしている。音声データはコンピュータ本体からインタフェースを経由してリムーバブルメモリにダウンロードすることもできる。音声情報再生のためには「再生」「停止」「スキップ」などの入力ボタンや，音量ボリューム、ヘッドホン端子などを追加すればよいことと音声圧縮フォーマットの規格は特に限定されず例えば、ＭＰ３の他、ＡＴＲＡＣ３（Adaptive Transform Acoustic Coding）等適宜選択することができることの記載がある。
【０００５】
更に，リムーバブルメモリにＣＣＤ（電荷結合半導体素子）等の画像撮影部及び液晶等の画像表示部を加えればデジタルカメラとしても使用できて、画像としては静止画像の他に動画を扱えるようにしてもよく解像度、撮影可能枚数などは、一般データ記録部の容量等に従って定め、画像圧縮形式も特に限定されない。リムーバブルメモリで撮影した画像の他、コンピュータ本体からインタフェースを経由してリムーバブルメモリにダウンロードした画像も表示し、音声再生プレーヤとデジタルカメラの機能を併せもたせてもよい旨の記載があるが、あくまで特許文献１に記載の構成は，ＭＰ３プレーヤ（以下、ＵＳＢプレーヤと記す）に関するもので、キーボードからのパスワード入力を必要としないセキュリティシステムを実現しようとするものである。
【０００６】
更に、又、エンファシスなどの記録特性が変化した場合でもアンプ側で頭切れにならないように再生出力するディジタルオーディオ信号再生装置が特許文献２に開示されている。このディジタルオーディオ信号再生装置は次のトラックのエンファシス設定が現在のトラックのエンファシス設定から変化するとき、次のトラックを再生する前に、そのエンファシス設定をサブコード情報に書き込んだ数秒間の無音信号を出力し、それに続けて次のトラックを再生出力することで、無音信号によりエンファシス設定の変更が行われ、次のトラックが頭切れすることなく再生するようにしたものである。
【０００７】
上述の特許文献２に開示のディジタルオーディオ信号再生装置では、記録特性が異なる複数のディジタルオーディオファイルを連続して再生する場合やデフォルト設定と異なるファイルを再生する場合でも、頭切れなくこれを再生することができるように成したものである。
【０００８】
更に、ステレオシステム再生装置やディジタルオーディオ電子機器の特に、ＭＰ３プレーヤ等のデジタルシステム機器では不要輻射がよく出力されるが、ステレオシステム再生装置でＵＳＢプレーヤを搭載すると、再生装置中のチューナによる情報受信時（以下チューナファンクションと記す）にその輻射を受信することが起きやすい、この様なチューナファンクション時にノイズ源となる再生装置中の各種回路は、そのノイズ源を断つために発振回路の停止や電源回路を切断することが行なわれている。
【０００９】
上述のチューナファンクション時に回路電源を切断すると、再生を停止させたときの再生状態を保持する所謂リジューム機能を実現するときにＥＥＰＲＯＭ等の不揮発性メモリが必要となり、又、チューナファンクション時にＵＳＢプレーヤの発振回路を停止すると、再生を停止させたときの再生状態を保持する所謂リジューム機能を実現する時に発振回路の電源のバックアップ回路が必要になってしまう、このように、ＥＥＰＲＯＭや電源回路のバックアップ回路を用いるとコストアップになる課題がある。
【００１０】
ステレオシステム再生装置やディジタルオーディオ電子機器内のシステムコンピュータは通常様々な情報をバックアップするため、何らかのデータバックアップ回路を有する。システムコンピュータと電源を切断する部分のコントローラが分離している場合は、電源切断時にリジューム情報をシステムコンピュータに渡すことで、ＵＳＢプレーヤのＥＥＰＲＯＭやバックアップ回路の追加を防ぐことが出来る。
【００１１】
ステレオシステム再生装置でＵＳＢプレーヤを再生する場合のファンクション（以下ＵＳＢファンクションと記す）以外でＵＳＢプレーヤの電源を切断すると、ＵＳＢファンクションにするたびにメディアのコンテンツ読み出しを行うため、再生可能になるまでの時間が掛り、ユーザが不便を感じることになる。この様にＵＳＢファンクションに切換えた時のメディアのコンテンツの読み出しによる待ち時間が発生する。この待ち時間を低減するためには、ＵＳＢファンクション以外で出来るだけＵＳＢプレーヤの電源を切断しない方がよい。
【００１２】
然し、チューナファンクション時のみＵＳＢプレーヤの電源を切断する必要があるため、ＵＳＢファンクション以外からＵＳＢファンクションに切換えた場合は、チューナファンクションからＵＳＢファンクションに切かえた場合に比べコンテンツの読み出しが無い分、ファンクション変更後の再生動作に時間を必要としないことになる。
【００１３】
又、各種のファンクション切換えを行なった時は、その切換時にノイズを出力させないため、しばらくの間ミューティングを掛けることがよくあるが、ＵＳＢファンクション以外からＵＳＢファンクションに切り換え再生操作をした場合、すぐさま動作に移行すると、このファンクション切換えのミューティングのタイミングで再生音を放音することがある。この様にファンクション切換時のミューティングのタイミングで再生音を出力するとコンテンツの頭切れを起こすことになり、ユーザに不快感を与える課題を有していた。
【発明の開示】
【発明が解決しようとする課題】
【００１４】
本発明は上述の課題を解決するためになされたもので、ファンクションを変更して直に再生ができるファンクションをもったステレオシステム再生装置で、ファンクション切換時のポップノイズ除去のためのミューティングを働かせるものに於いて、ファンクション変更後の再生音の冒頭部分がミューティングにより欠けてしまう問題を解決させた再生装置及び再生方法並びにリムーバブルメモリ用電子機器を提供するものである。
【課題を解決するための手段】
【００１５】
本発明の再生装置は、少なくともＵＳＢプレーヤからのＵＳＢファンクションと、他の複数のファンクションとを動作させる再生装置において、ＵＳＢファンクションと他の複数のファンクションの動作を制御する制御手段と、制御手段により制御されるファンクションが変更されると、ミューティングを一定期間行うミューティング手段と、制御手段により制御されるファンクションが、他の複数のファンクションの内の１つのファンクションからＵＳＢファンクションに切換変更されたときに、切換変更がチューナファンクションからの切換変更かを判定する判定手段と、判定手段による判定結果が、チューナファンクションを除く直に再生可能なファンクションからの切換変更を示す場合に、切換変更から少なくとも一定期間以上待機してミューティング手段によるミューティング中にＵＳＢファンクションの動作が開始されないようにする待機手段と、を備えるものである。 
【００１６】
本発明の再生方法は、少なくともＵＳＢプレーヤからのＵＳＢファンクションと、他の複数のファンクションとを動作させる再生方法において、ＵＳＢファンクションと他の複数のファンクションの動作を制御する制御ステップと、制御ステップで制御されているファンクションが変更されると、ミューティングを一定期間行うミューティングステップと、制御ステップで制御されているファンクションが、他の複数のファンクションの内の１つのファンクションからＵＳＢファンクションに切換変更されたときに、切換変更がチューナファンクションからの切換変更かを判定する判定ステップと、判定ステップでの判定結果が、チューナファンクションを除く直に再生可能なファンクションからの切換変更を示す場合に、切換変更から少なくとも一定期間以上待機してミューティングステップでのミューティング中にＵＳＢファンクションの動作が開始されないようにする待機ステップと、を備えるものである。
【００１７】
本発明のリムーバブルメモリ用電子機器は、少なくともＵＳＢプレーヤからのＵＳＢファンクションと、他の複数のファンクションとを動作させるリムーバブルメモリ用電子機器において、ＵＳＢファンクションと他の複数のファンクションの動作を制御する制御手段と、制御手段により制御されるファンクションが変更されると、ミューティングを一定期間行うミューティング手段と、制御手段により制御されるファンクションが、他の複数のファンクションの内の１つのファンクションからＵＳＢファンクションに切換変更されたときに、切換変更がチューナファンクションからの切換変更かを判定する判定手段と、判定手段による判定結果が、チューナファンクションを除く直に再生可能なファンクションからの切換変更を示す場合に、切換変更から少なくとも一定期間以上待機してミューティング手段によるミューティング中にＵＳＢファンクションの動作が開始されないようにする待機手段と、を備えるものである。 
【発明の効果】
【００１８】
本発明によると、チューナファンクションでＵＳＢプレーヤの輻射に影響されてしまうこと及びチューナファンクション以外のファンクションからＵＳＢファンクションに切換えた時にコンテンツの頭切れを起こしてしまうこと並びにコンテンツ読み出しの時間だけユーザを待たせてしまうといった問題を全て解決した再生装置及び再生方法並びにリムーバブルメモリ用電子機器を得ることが可能となる効果を生ずる。
【発明を実施するための最良の形態】
【００１９】
以下、本発明の１形態例の再生装置及び再生方法並びにリムーバブルメモリ用電子機器を図１乃至図７によって説明する。図１は本発明の再生装置の１形態例を示す系統図、図２乃至図６は本発明の再生方法の１形態例を示すフローチャート、図７は本発明の再生装置の１形態例を示す全体的構成の斜視図である。
【００２０】
以下、図１乃至図６によって本発明のステレオシステム再生装置及び再生方式を説明する前に図７によってステレオシステム再生装置の全体的システム構成を説明する。図７に於いて、コンピュータ及び再生装置の本体２１を構成する筐体の前面パネルには上部にモニタ用のフラット表示部７を有し、モニタ用のフラット表示部７の下側には各種操作キー群５が映出されている。これ等の操作キー群５は「ＴＡＰＥ」「ＤＶＤ」「ＴＵＮＥＲ」「再生」「停止」「録音」「ファンクション切換キー」等が画面表示される。本体２１の右上にはＣＤやＤＶＤ挿入開口スリット２６が穿たれ、パネル下面に開閉扉２１ａ、２１ｂが設けられ、開閉扉２１ａ内にＵＳＢプレーヤを構成するムーバブルメモリ、即ち、ＵＳＢメモリ（以下、少なくともＵＳＢメモリを内蔵したものをＵＳＢプレーヤと記す）２９が挿入可能な接栓座（以下ＵＳＢソケットと記す）２８が設けられ、開閉扉２１ｂ内にはテープカセットを記録再生する駆動部が配設されてテープカセットプレーヤを構成している。２２Ｌ、２２Ｒは左右スピーカ、２３はコンピュータ用のディスプレイ、２４はキーボード、２５はマウスを示し、コンピュータ用の本体２１を介してＵＳＢプレーヤ２９内の音楽データや画像データ等を簡単に聴取或いはモニタできるように構成されている。図７の構成では左右スピーカ２２Ｌ、２２Ｒしか配設されていないが本体２１の背面板には５−１チャンネル用のスピーカ出力端子を有する。
【００２１】
以下、図１によって、上述構成の本発明のステレオシステム再生装置内のブロックを説明する。図１に於いて、再生装置３０はＵＳＢメモリプレーヤ基板３１とメインコンピュータ基板３２から構成されている。本例では、ＵＳＢプレーヤ２９を再生するＵＳＢメモリプレーヤ基板３１、ＣＤを再生するＣＤプレーヤ３３、テープカセットを再生するテープカセットプレーヤ３４、ＡＭ、ＦＭ、ＴＶ等のチューナ３５を備えたシステムスオーディオについて詳記する。
【００２２】
ＵＳＢメモリプレーヤ基板３１にはＵＳＢソケット２８が取り付けられ、このＵＳＢソケット２８はＵＳＢプレーヤ２９の口金が接触する口金部２８ａと伝送データＤ＋、Ｄ−の端子が装着可能となされている。伝送データＤ＋、Ｄ−の端子、ＧＮＤ端子、ＶＢＡＳ端子はＵＳＢソケット２８からの圧縮データを読み出して、伸張などを制御するコンピュータの中央情報処理部及びＵＳＢコントローラ並びにＣＯＤＥＣ（コーダック）が集積されたＣＰＵチップ１に接続されている。ＵＳＢソケット２８の口金部２８ａはメインコンピュータ基板３２内に設けられＣＰＵチップ１とデータの授受を行うメインコンピュータ（以下メインＣＰＵと記す）３７のデータラインに接続されている。このデータラインは抵抗Ｒによってプルアップされている。ＣＰＵチップ１はフラッシュメモリ等のＲＯＭ（ロム）３とＳＤＲＡＭ（ＳＤラム）２に接続され、ＣＰＵチップ１はＲＯＭ３に記録されたＲＯＭ情報に従って動作し、ＵＳＢプレーヤ２９のメモリからデータを読み出して圧縮してＳＤＲＡＭ２に記録する。更に、ＣＰＵチップ１には画像入力端子ＶＩＮから画像データが供給され、ビデオアンプ１６を介して画像出力端子ＶＯＵＴに画像データが出力される。尚、４１はＵＳＢメモリプレーヤ基板３１内の電源回路を示す。
【００２３】
ＣＰＵチップ１にはアナログ−ディジタル変換回路／ディジタル−アナログ変換回路（ＡＤ／ＤＡ）１５が接続されＡＤ１５からのディジタルデータはメインコンピュータ基板３２側に配設したセレクタ１１に供給されると共にＤＡ１５にはセレクタ１１からでディジタルデータが供給されている。又、ＳＤＲＡＭ２に記録された圧縮データをＣＰＵチップ１で伸張し、ＤＡ１５でディジタル音声信号をアナログ音声に変換する。更に、伸張された画像データをアナログ変換し、かつビデオフォーマットに変換しコンポジット信号に変換した後にビデオアンプ１６に出力する。
【００２４】
メインコンピュータ基板３２内にはＣＤプレーヤ３３、テープカセットプレーヤ３４、チューナ３５等からの各種情報データが供給されるＣＤソケット３８、テープカセットソケット３９、チューナソケット４０がバスを介してメインＣＰＵ３７に接続されると共にセレクタ１１に各ソケット３８、３９、４０から情報データを供給可能なように接続されている。商用電源端子ＡＣＩＮに供給された商用電圧はシステム全体の電源をまかなう電源回路１３に接続され、メインＣＰＵ３７で制御するスイッチ等の切換回路１２を介してＵＳＢメモリプレーヤ基板３１内の電源回路４１に接続されている。
【００２５】
システムオーディオを構成する再生装置３０の全体を制御するためのメインＣＰＵ３７には操作キー群５及びリモートコントローラ（リモコン）６から音声データや映像データの動作指示が成されと共にセレクタ１１及びプリアンプ１０並びにフラット表示部駆動回路８にはメインＣＰＵ３７から出力データが供給されるように接続されている。フラット表示部駆動回路８からのデータはフラット表示部７に与えられて操作キー群５やリモコン６の信号を処理し適切な動作をさせて、その状態をフラット表示部７に出力させる。
【００２６】
セレクタ１１の出力端はプリアンプ１０に接続されプリアンプ１０の出力端は更に、ミューティング回路９に接続されたパワーアンプ１４に接続されたスピーカ端子ＳＰＯＵＴを介して左右スピーカ２２Ｌ、２２Ｒに接続されている。メインＣＰＵ３７はＤＡ制御を行い、ＣＤプレーヤ３３、テープカセットプレーヤ３４、チューナ３５から出力される夫々の音声信号はセレクタ１１で選択され、プリアンプ１０で音量や音質が変更されミューティング回路９でミューティング動作がなされ、最終的にパワーアンプ１４で左右スピーカ２２Ｌ、２２Ｒを駆動できる信号に変換し、左右スピーカ２２Ｌ，２２Ｒに音声信号を出力する。
【００２７】
ＵＳＢソケット２８とＣＰＵチップ１とはＳＵＢ伝送データ（ＶＢＡＳ，ＧＮＤ，Ｄ＋、Ｄ−）の４信号で接続されるＵＳＢ端子を有し、ＵＳＢソケット２８に接続されるＵＳＢプレーヤ２９をエミュレーションして認識し、通信開始する。又、ＵＳＢソケット２８の口金部２８ａは抵抗Ｒでプルアップされた信号線（ＭＥＤＩＡ−ＤＥＴ）を持ち、口金部２８ａとＵＳＢ端子内のＧＮＤが接続されているメディアが挿入されたことを検出できる様に構成されている。この構成によれば、口金部２８ａとＵＳＢ端子内のＧＮＤが接続されているメディアを挿入したときにＭＥＤＩＡ−ＤＥＴはその信号論理は「Ｌ」それ以外で「Ｈ」となるため、その信号を検出することでＵＳＢソケット２８に接続されたメディアであるＵＳＢプレーヤ２９の有無を検出することができる。
【００２８】
その他メディアの有無を確認する方法として、ＵＳＢデータＤ＋、Ｄ−の端子ラインをモニタすることも可能である。ＵＳＢプレーヤ２９はフルスピードではＵＳＢ端子Ｄ＋に、ロースピードではＵＳＢ端子Ｄ−にそれぞれ１５ｋΩのプルアップ抵抗を持つため、これらのポートの変化をＣＰＵチップ１でモニタすることでもメディアの有無を確認することが出来る。それ以外にも通信が確立した任意の時点でメディア有と判定し、それ以外ではメディア無と判定することも可能である。
【００２９】
他にＣＰＵチップ１はセレクタ１１から入力されＡＤ１５にてディジタル化された音声信号やＶＩＮから入力された映像信号をディジタル変換し、それを圧縮してＵＳＢソケット２８に接続されたＵＳＢプレーヤ２９に記録することも出来る。この時ＡＤ１５は入力されたアナログ音声信号をディジタル化してＣＰＵチップ１に渡す。又、ＶＩＮから入力された映像信号もＣＰＵチップ１に渡されディジタル化される。ディジタル化された音声・映像信号をＳＤＲＡＭ２に記録する共に圧縮してＵＳＢソケット２８に接続されたＵＳＢプレーヤ２９のメモリに記録することも出来る。
【００３０】
再生を行う際は、メインＣＰＵ３７からＣＰＵチップ１に対して再生するためのコマンドを送信する必要がある。このコマンドはキーコマンドであったり、再生のため定義された専用のものであったりと種々な場合がある。通常、ファンクション毎にそのファンクションだけが動作するようにすることが多く、例えば、メインＣＰＵ３７はＵＳＢファンクションではＵＳＢ関連のコマンドをＣＰＵチップ１に対して送信する。そして、ＵＳＢファンクション以外のときに、メインＣＰＵ３７が再生動作しないようにＣＰＵチップ１はコマンド出力を制御する必要がある。
【００３１】
このようにステレオシステム再生装置３０は種々なファンクションを持ち、種々な音源を再生可能だが、ＵＳＢプレーヤ２９等のディジタル機器では不要輻射を発生し易い。特にステレオシステム再生装置３０の様にチューナファンクションを有する場合、チューナファンクション時にこれらの輻射を受信してノイズを発生させてしまうことがよくある。そのためチューナファンクション時に、チューナに関係のない部分の輻射源の電源回路を切断したり発振回路の停止を行ったりしている。
【００３２】
図１のようにＵＳＢプレーヤ２９をコントロールするＣＰＵチップ１とメインコンピュータ基板３２のメインシステムを制御するメインＣＰＵ３７が分離している場合、切換回路１２のスイッチにより回路全体の電源回路１３を切断したり、電源回路１３は切断しないもののＣＰＵチップ１の発振回路の電源回路４１の電圧を停止させたりすることがある。回路全体の電源を切断する場合で、再生を停止させたときの再生状態を保持するいわゆるリジューム機能を実現するときには単純に回路全体の電源回路１３を切るわけにはいかず、ＥＥＰＲＯＭ等の不揮発メモリを使用しなければならなくなる。
【００３３】
又、ＵＳＢメモリプレーヤ基板３１の発振回路の停止を行った場合にリジューム機能を実現するときにその部分の電源のバックアップ回路が必要になってしまう。その他発振回路を停止させる場合、ＣＰＵチップ１のコントローラの発振を止めることになるが、このときＳＤＲＡＭ２のクロックも停止させなければならないため、別に新たなＲＡＭを追加する必要が生ずる。このように、リジューム機能を実行する場合にはコストがアップする問題があった。
【００３４】
然し、システムオーディオやステレオシステム再生装置３０のメインＣＰＵ３７は通常様々な情報をバックアップするため、何らかのデータバックアップ回路を有することが多い。例えば、ＴＶチューナのプリセットや各種設定値等がこれにあたる。そのため、ＵＳＢメモリプレーヤ基板３１のＣＰＵチップ１からリジューム等のバックアップの必要なデータをメインＣＰＵ３７に送信しておくことで、ＵＳＢプレーヤ２９は電源回路１３を遮断されても、電源投入時に過去に送ったデータを要求してデータをリストアすることができる。
【００３５】
これにより、ＵＳＢメモリプレーヤ基板３１のコストをアップせずにリジューム機能を実現することができるようになる。然し、チューナファンクションからＵＳＢファンクションに切換える時にはコンテンツ情報の読み出し及び、これらのデータのリストアを必要とするため、ファンクションを切り替えてから再生し、再生データを出力させるまでにはある程度の時間がかかってしまう。チューナファンクション以外のファンクションではこのようにＵＳＢプレーヤの電源を切断する必要はない上、ユーザがファンクションを切換えてから再生音が出力されるまでの時間はできるだけ短くしたいことから、通常チューナファンクション以外のファンクションではこのように電源を切断することは行わないのが普通である。このようにすると、ファンクション変更した後すぐに再生動作をさせようとしたとき、すぐに再生音が出力されてしまう。
【００３６】
他方、ファンクション変更時にはセレクタ１１の切断によって再生信号にポップノイズを発生するため、ファンクションを変更してある一定時間だけミューティング回路９によりミューティング動作を行うがファンクションを変更してすぐに再生動作を行うと、時に再生すべきコンテンツの冒頭部分がミューティングされてしまう。 
【００３７】
本発明はこのように、ファンクションを変更してすぐに再生ができるファンクションをもったシステムオーディオやステレオシステム再生装置で、ファンクション切換時のポップノイズ除去のためのミューティングを働かせながら、ファンクション変更後の再生音の冒頭部分がミューティングにより頭切れして、欠けてしまう課題を有していた。
【００３８】
上述の課題を解決するための動作を図２乃至図６により説明する。上記の様にチューナファンクション以外のファンクションでＵＳＢプレーヤの電源切断を必要としない場合はファンクション切換え動作がすぐに行えてしまうことから、ある一定時間の待機処理をさせてミューティング状態で再生が開始しない様にしたフローチャートを図２に示す。
【００３９】
図２に於いて、第１ステップＳ２１に示す様にＵＳＢファンクションに変更したときには第２ステップＳ２２に進みメインＣＰＵ３７はチューナ３５からの変更か否かをチェックする。チューナ３５からの変更が「ＮＯ」のときには第３ステップＳ２３のようにコマンド送信開始を待つためにカウンタの値Ａをセットし、第２ステップＳ２２が「ＹＥＳ」の場合はエンドに至る。
【００４０】
一方、メインＣＰＵ３７は図３の第４ステップＳ３１に示す様に定期処理等でスタートを開始し、第３ステップＳ２３のカウンタの値Ａから一定時間が経過したかを第５ステップＳ３２の様にチェックする。ここで、「ＮＯ」の場合は第５ステップＳ３２の頭に戻され、一定時間が経ったと判断された「ＹＥＳ」の場合、第６ステップＳ３３に進みコマンド送信を開始するようにしエンドに至る。
【００４１】
前述の一定時間による待機処理でなく、他にファンクション変更時のミューティング処理中かどうかを判断し、ミューティング処理が終了した段階からコマンド送信を開始するようにしても同様なことが実現可能である。ミューティング期間の如何をチェックする方法でも、同様に問題を回避できる。即ち、図４の第１ステップＳ４１に示すファクション変更時のミューティング処理の開始から第２ステップＳ４２の様のファンクション変更するときにフラグＢをセットしてエンドとし、図５に示す様に第３ステップのファンクション変更の終了（解除）時には第４ステップＳ５２の様にフラグＢをクリアしてエンドに至る様にしても良い。
【００４２】
図６の第１ステップＳ６１に示す様にファンクションをＵＳＢファンクションに変更したときは、メインＣＰＵ１はそれが第２ステップＳ６２の様にチューナファンクションからの変更かをチェックする。チューナファンクションからの変更でない「ＮＯ」では第３ステップＳ６３に進み、ミューティング期間中かを定期的にチェック（実際はフラグＢをチェック）して「ＹＥＳ」のミューティング中であれば、第３ステップＳ６３の頭に戻し、「ＮＯ」であれば、フラグＢがクリアされたのを確認して第４ステップＳ６４に進んでコマンド送信可能としてエンドに至る。一方、第２ステップＳ６２にて、チューナファンクションからの変更である「ＹＥＳ」のときは第４ステップＳ６４に移行する。
【００４３】
ファンクション変更をしてからコマンド送信を開始するまでの間は、別途出力するべきコマンドを適切に処理することも可能である。例えば、ファンクションをＣＤプレーヤ３３のＣＤファンクション（チューナファンクション以外）からＵＳＢファンクションに変更したとき（すなわちコマンド送信開始前の待機処理期間）に、再生キーが押下されたとする。この再生キーの押下を処理することによりコマンド送信開始時に再生コマンドを出力するようにすることなどである。このようにコマンド送信開始前に受ける様々な動作コマンドをもとにコマンド送信可能時に送るべきコマンドを適切に設定し、コマンド送信可能になった時点でそのコマンドを送ることも同時に行ってもよい。
【００４４】
上述の構成ではメインＣＰＵ３７で図２乃至図６のフロー制御を行なったが、メインＣＰＵ３７と接続されたＣＰＵチップ１で行っても良いことは明らかである。本発明の再生装置及び再生方法並びにリムーバブルメモリ用電子機器であるメディアに記録された音楽や映像データの再生動作などを行う場合に、チューナファンクションでＵＳＢプレーヤの輻射に影響されてしまうこと及びチューナファンクション以外のファンクションからＵＳＢファンクションに切換えた時にコンテンツの頭切れを起こしてしまうこと並びにコンテンツ読み出しの時間だけユーザを待たせてしまうといった問題を全て解決した再生装置及び再生方法並びにリムーバブルメモリ用電子機器を得ることが可能となる効果を生ずる。
【産業上の利用可能性】
【００４５】
上述の構成では再生装置について説明したが、本発明はＵＳＢインタフェースを具えた情報製品、例えば、ＰＤＡ（個人用携帯情報端末）、携帯式ＭＰ３プレーヤ、マイクロコンピュータ、携帯電話、ＵＳＢインタフェースのデジタルビデオカメラ等のＵＳＢインタフェースを有する電子機器に適用可能である。又、実施例では音声再生／録音及び映像再生／記録可能な自動再生／記録装置として説明したが再生装置（システムオーディオ、ステレオプレーヤ、ステレオシステム）として画像処理系回路を取り除いた構成としても良いことは明らかである。
【図面の簡単な説明】
【００４６】
【図１】本発明の再生装置及び再生方法並びにリムーバブルメモリ用電子機器の１形態例を示す系統図である。
【図２】本発明の本発明の再生装置及び再生方法並びにリムーバブルメモリ用電子機器の１形態例を示すフローチャート（Ｉ）である。
【図３】本発明の本発明の再生装置及び再生方法並びにリムーバブルメモリ用電子機器の１形態例を示すフローチャート（II）である。
【図４】本発明の本発明の再生装置及び再生方法並びにリムーバブルメモリ用電子機器の１形態例を示すフローチャート（III）である。
【図５】本発明の本発明の再生装置及び再生方法並びにリムーバブルメモリ用電子機器の１形態例を示すフローチャート（IV）である。
【図６】本発明の本発明の再生装置及び再生方法並びにリムーバブルメモリ用電子機器の１形態例を示すフローチャート（Ｖ）である。
【図７】本発明の再生装置及び再生方法並びにリムーバブル用電子機器の１形態例を示す斜視図である。
【符号の説明】
【００４７】
１・・・ＣＰＵチップ、２・・・ＳＤＲＡＭ、３・・・ＲＯＭ、５・・・操作キー群、６・・・リモコン、７・・・フラット表示部、８・・・フラット表示部駆動回路、９・・・ミューティング回路、１０・・・プリアンプ、１１・・・セレクタ、１２・・・切換回路、１３、４１・・・電源回路、１４・・・パワーアンプ、１５・・・ＡＤ／ＤＡ、１６・・・ビデオアンプ、２１・・・本体、２２Ｌ、２２Ｒ・・・左右スピーカ、２８・・・ＵＳＢソケット、２９・・・ＵＳＢメモリ（ＵＳＢプレーヤ）、３０・・・再生装置、３１・・・ＵＳＢメモリプレーヤ基板、３２・・・メインコンピュータ基板、３３・・・ＣＤプレーヤ、３４・・・テープカセットプレーヤ、３５・・・チューナ、３７・・・メインＣＰＵ、３８・・・ＣＤソケット、３９・・・デッキソケット、４０・・・チューナソケット、４１・・・ＵＳＢソケット
【図１】
0004747697.tif 000002
【図２】
0004747697.tif 000003
【図３】
0004747697.tif 000004
【図４】
0004747697.tif 000005
【図５】
0004747697.tif 000006
【図６】
0004747697.tif 000007
【図７】
0004747697.tif 000008